(57)【要約】      （修正有）【課題】箸置きが必要なときだけ箸置き部を切断して使用することができ、箸置きを必要としないときには、箸置き部を切断しなくとも割り箸として使用でき、簡単で低コストに製造できる箸置き付き割り箸を提供する。【解決手段】箸本体の後端部に切断溝部を介して箸置き部を形成した箸置き付き割り箸において、箸本体１の長さ方向に形成される割り溝部２が、箸置き部４まで延長して形成されている。割り溝部２は箸置き部４の全長に形成されており、切断溝部３は割り溝部２に交差するように形成されている。切断溝部３は、箸本体１の表裏両面にＶ字状に形成され、割り溝部２よりも幅広に形成されている。切断溝部３は、箸本体１の長さ方向に複数形成することができる。【選択図】図１
0003222756.tif 000002
【実用新案登録請求の範囲】
【請求項１】
箸本体の後端部に切断溝部を介して箸置き部を形成した箸置き付き割り箸において、
前記箸本体の長さ方向に形成される割り溝部が、前記箸置き部まで延長して形成されていることを特徴とする箸置き付き割り箸。
【請求項２】
前記割り溝部が前記箸置き部の全長に形成されていることを特徴とする請求項１に記載の箸置き付き割り箸。
【請求項３】
前記切断溝部は、前記割り溝部に交差するように形成されていることを特徴とする請求項１又は２に記載の箸置き付き割り箸。
【請求項４】
前記切断溝部は、前記箸本体の表裏両面にＶ字状に形成され、前記割り溝部よりも幅広に形成されていることを特徴とする請求項１〜３のいずれかに記載の箸置き付き割り箸。
【請求項５】
前記切断溝部は、前記箸本体の長さ方向に複数形成されていることを特徴とする請求項１〜４のいずれかに記載の箸置き付き割り箸。
【考案の詳細な説明】
【技術分野】
【０００１】
本考案は、箸置き付きの割り箸に関するものである。
【背景技術】
【０００２】
飲食店等で供される割り箸には箸置きが添えられることがあるが、箸置きが不潔なときなどには使用する気になれず、かえって邪魔になることもある。飲食店側にしても、箸置きをテーブルに並べたり、使用後に洗ったりする手間が掛かり、箸置きの購入経費も負担となる。
【０００３】
このようなことから、従来、割り箸の後端部に箸置き部を切断可能に設けた箸置き付きの割り箸が提案され、市販されている（特許文献１、２）。しかし、これら従来の箸置き付き割り箸は、箸置きを必要としないときでも箸置き部を切り離さなければ割り箸として使用することができず、使い勝手が悪いという問題があった。また、製造に際しても、割り箸になる部分と、箸置き部になる部分を別々に成形加工しなければならず、コストも高くなるという問題があった。
【先行技術文献】
【特許文献】
【０００４】
【特許文献１】特開平８-２８０５１７号公報
【特許文献２】特開２０００―１２７１１６号公報
【考案の概要】
【考案が解決しようとする課題】
【０００５】
本考案は、前述した従来の箸置き付き割り箸の問題点を解決するために提案されたものであり、箸本体の後端部に箸置き部が切断可能に形成された箸置き付き割り箸において、箸置きが必要なときだけ箸置き部を切断して使用し、箸置きを必要としないときには、箸置き部を切断しなくとも割り箸として使用することができるような箸置き付き割り箸を提供することである。また、箸置きが付いたまま割り箸として使用している途中でも、箸置き部を切断して箸置きとして使用することができるような箸置き付き割り箸を提供することである。さらに、簡単で低コストに製造できるような箸置き付き割り箸を提供することである。
【課題を解決するための手段】
【０００６】
前述の目的のため、請求項１に係る考案によれば、箸本体の後端部に切断溝部を介して箸置き部を形成した箸置き付き割り箸において、
前記箸本体の長さ方向に形成される割り溝部が、前記箸置き部まで延長して形成されていることを特徴とする。
【０００７】
また、請求項２に係る考案によれば、前記割り溝部が前記箸置き部の全長に形成されていることを特徴とする。
【０００８】
また、請求項３に係る考案によれば、前記切断溝部は、前記割り溝部に交差するように形成されていることを特徴とする。
【０００９】
また、請求項４に係る考案によれば、前記切断溝部は、前記箸本体の表裏両面にＶ字状に形成され、前記割り溝部よりも幅広に形成されていることを特徴とする。
【００１０】
また、請求項５に係る考案によれば、前記切断溝部は、前記箸本体の長さ方向に複数形成されていることを特徴とする。
【考案の効果】
【００１１】
本考案によれば、箸本体の後端部に箸置き部が切断可能に形成された箸置き付き割り箸において、箸置きが必要なときだけ箸置き部を切断して使用し、箸置きを必要としないときには、箸置き部を切断しなくとも割り箸として使用することができる。また、箸置きが付いたまま割り箸として使用している途中でも、箸置き部を切断して箸置きとして使用することができる。さらに、簡単で低コストに製造できる、等の効果が得られる。
【図面の簡単な説明】
【００１２】
【図１】図１は、本考案に係る箸置き付き割り箸の全体斜視図である。
【図２】図２は、本考案に係る箸置き付き割り箸の箸置き部が付いたままの使用状態を示す全体斜視図。
【図３】図３は、本考案に係る箸置き付き割り箸の箸置き部を使用した状態の全体斜視図。
【考案を実施するための形態】
【００１３】
以下、本考案に係る箸置き付き割り箸の実施形態を添付図面に従って説明するが、本考案は、この実施形態のみに限定されるものではない。
【００１４】
図１に示すように、箸本体１は、細長い木製の平面状の棒片であり、箸としての使用に適した肉厚と長さを有しており、先端部から後端部にかけて徐々に幅広となるような形状となっている。箸本体１の幅方向中央部には、割り溝部２が箸本体１の長さ方向に形成されており、箸本体１の後端部近くには、切断溝部３が箸本体１の幅方向に形成されている。この切断溝部３を境にして箸本体１の後端部は箸置き部４となっている。
【００１５】
割り溝部２は、細い筋状の切り込みとなっており、箸本体１の表裏面部に対向して形成され、箸本体１の先端部から切断溝部３を通過して箸置き部４の後端部の末端まで延びている。これにより、箸本体１には左右一対の箸棒１ａ，１ｂが形成されることになる。割り溝部２の深さと幅は、割り溝部２に沿って両手で箸棒１ａ，１ｂを引き離せるものであれば、特に限定はない。割り溝部２は、製作時に、先端部から所定の長さの中間部付近まで切り離しておけば、箸本体１の使用時に、左右の箸棒１ａ，１ｂを容易に引き離すことができる。
【００１６】
切断溝部３は、割り溝部２に交差（直交）するように形成されている。切断溝部３は断面Ｖ字状に切り欠かれた形状であり、箸本体１の表裏両面に対向して形成されている。切断溝部３の深さや幅は、箸本体１の後端部（箸置き部４）を手で折って切断できるものであれば、特に限定されないが、ここでは、割り溝２より広い溝幅となっている。これにより、箸置き部４との境目が明瞭となり、容易に箸置き部４を切断することができる。断切断溝部３を形成する位置は、箸置き部４としての長さを確保できる位置であれば任意である。
【００１７】
前述の実施態様の割り箸の使用方法は次の通りである。まず、通常の割り箸として使用するときは（箸置きを必要としないときは）、図２に示すように、箸本体１を割り溝部２に沿って箸棒１ａ，１ｂを手で左右に引っ張ると、箸置き部４を含めた割り溝部２の全部が引き離され、２本の箸棒１ａ，１ｂとなる。箸棒１ａ，１ｂの後端部には、それぞれ箸置き部４ａ，４ｂが残ったままであり、この状態の２本の箸棒１ａ，１ｂを箸として使用する。
【００１８】
箸置きが必要なときは、図３に示すように、箸本体１の後端部である箸置き部４を切断溝部３に沿って手で折って切り離した後に、箸本体１側の箸棒１ａ，１ｂを、前述のように割り溝部２に沿って引き離し、２本の箸棒１ａ，１ｂを箸として使用する。切り離した箸置き部４は、箸棒１ａ，１ｂの先端部を置くための箸置きとして使用する。
【００１９】
前述の使用例では、箸置き部４を始めから折って箸置きとして使用しているが、箸置き部４が付いたままの箸棒１ａ，１ｂを、箸として使用中に箸置きが必要になったときは、箸棒１ａ，１ｂに形成されている箸置き部４ａ，４ｂの一方又は両方を切断溝部３ａ，３ｂ（図２参照）の位置で折って箸置きとして使用することもできる。
【００２０】
前述の実施形態では、箸本体１の一か所に切断溝部３を形成しているが、たとえば菜箸のように比較的長い割り箸の場合は、箸本体１の後端部に適当な間隔で複数の切断溝部３を形成しておくと、好みの長さの位置で箸置き部４を切断することができる。また、割り溝部２は、箸置き部４の全長に形成されているが、箸本体１の箸棒１ａ，１ｂを綺麗に割ることができれば、箸置き部４の末端部を僅かに残して割り溝部２を形成してもよい。さらに、切断溝部３は、箸本体１の幅方向にＶ字状やＳ字状となるように形成してもよい。箸棒１ａ，１ｂの形状は、断面形状が五角形、六角形等の多角形状や丸形状にすることもできる。
【００２１】
本考案に係る箸置き付き割り箸は、箸本体１の幅方向中央部の箸本体１の全長に割り溝部２を形成し、箸本体１の後端部に切断溝部３を形成するだけであるから、簡単に低コストで箸置き付きの割り箸を製造することができる。
【産業上の利用可能性】
【００２２】
本考案は、飲食店や一般家庭などで使用される使い捨ての木製の箸置き付き割り箸として使用することができる。
【符号の説明】
【００２３】
１    箸本体
１ａ，１ｂ    箸棒
２    割り溝部
３    切断溝部
３ａ    箸棒１の切断溝部
３ｂ    箸棒２の切断溝部
４    箸置き部
４ａ    箸棒１ａの箸置き部
４ｂ    箸棒１ｂの箸置き部
【図１】
0003222756.tif 000003
【図２】
0003222756.tif 000004
【図３】
0003222756.tif 000005